(57)【特許請求の範囲】
【請求項１】
複数の葉片を折り畳み或いは切り重ねて、任意の対向する葉片間を疑似接着フィルムシートを介して剥離可能に一体化した情報通信体の開封手段であり、重なり合う一方の葉片ともう一方の葉片の開封側縁辺において、一方の葉片の開封縁辺に沿って疑似接着フィルムシートの非形成域を設け、前記一方の葉片に対向する疑似接着フィルムシートが全域にわたって形成されたもう一方の葉片の開封縁辺コーナーに切り欠き部を設けると共に、前記切り欠き部において前記一方の葉片が疑似接着フィルムシートの非形成域が開封縁辺に対して外側に形成され、疑似接着フィルムシートが前記非形成域内方に形成された状態で露出していることを特徴とした情報通信体の開封手段。
【発明の詳細な説明】
【技術分野】
【０００１】  本発明は複数の葉片が剥離可能に折り畳まれ或いは切り重ねられた情報通信体の開封手段に関する。
詳しくは最近盛んに使用されている、見掛けは通常の葉書であるにも関わらず、複数の葉片が剥離可能に積層されているため、多くの情報を隠蔽状態で伝達することができる葉書に代表される情報通信体の開封手段に関する。
【背景技術】
【０００２】  従来、前記複数の葉片が剥離可能に積層された葉書として、例えば特開２００４−９８６４４号公報に記載の葉書がある。前記特許文献では各葉片を剥離可能に接着（以下疑似接着という）する手段として、予め剥離可能に積層した疑似接着フィルムシートを使用するもの、或いは印刷を施した後に疑似接着性の皮膜を形成するもの、さらに印刷を施す前に疑似接着性の樹脂を塗布しておくもの等の各手段を開示している。
【先行技術文献】
【０００３】
【特許文献】
【特許文献】特開２００４−９８６４４号公報
【発明の概要】
【発明が解決しようとする課題】
【０００４】  前記各種疑似接着媒体を使用した情報通信体は、剥離可能に接着する疑似接着媒体同士の間から剥離するきっかけが得られれば、容易に開封して平面に展開することができる。然るに、例えば個人の郵便受けの中で雨水等により濡れてしまい、各葉片の紙繊維が容易に解れて分断してしまうような状態の場合、指先で剥離の端緒を摘み疑似接着媒体同士の間から剥離しようとしても、先に用紙の剥離端緒部分が解れたり或いは分断したりしてしまい、結局疑似接着媒体同士の間から剥離するきっかけを得ることができず開封することが不可能になる。【０００５】  また、疑似接着媒体の接着性が良好すぎる場合も、前記水濡れの場合と同様に剥離に際して用紙の剥離端緒部分が解れたり或いは分断したりしてしまい剥離が困難になる。
本発明は、仮に水を吸って濡れた状態や疑似接着が良好で強過ぎる場合でも、疑似接着媒体同士の間から容易にしかも確実に剥離を開始することが可能で、受取人が必ず内部に記載されている内容を確認することができる情報通信体を提供することを目的としている。
【課題を解決するための手段】
【０００６】  上記目的を達成するために、本発明の情報通信体の開封手段は、複数の葉片を折り畳み或いは切り重ねて、任意の対向する葉片間を疑似接着フィルムシートを介して剥離可能に一体化した情報通信体の開封手段であり、重なり合う一方の葉片ともう一方の葉片の開封側縁辺において、一方の葉片の開封縁辺に沿って疑似接着フィルムシートの非形成域を設け、前記一方の葉片に対向する疑似接着フィルムシートが全域にわたって形成されたもう一方の葉片の開封縁辺コーナーに切り欠き部を設けると共に、前記切り欠き部において前記一方の葉片が疑似接着フィルムシートの非形成域が開封縁辺に対して外側に形成され、疑似接着フィルムシートが前記非形成域内方に形成された状態で露出していることを特徴としている。【０００７】  上記重なり合う一方の葉片ともう一方の葉片は、疑似接着フィルムシートを介して剥離可能に一体化されている。前記疑似接着フィルムシートとしては、後述するように例えば基材の片面に疑似接着層を形成した疑似接着フィルムシートがある。【０００８】  前記疑似接着フィルムシートは、例えば、ポリエチレンテレフタレート、二軸延伸ポリプロピレン、ポリエチレン、アセテート、ポリカーボネート等の比較的腰の強い基材の一方の面に疑似接着層を形成したドライラミネート方式に対応したプリントラミネート用の疑似接着フィルムシートや、前記基材の残るもう一方の面に公知の感熱接着剤層を形成した、サーマルラミネート方式に対応したプリントラミネート用の疑似接着フィルムシートを好適に使用することができる。前記疑似接着フィルムシートとしては、例えばケイディケイ株式会社製の「ハガキフィルムドライ」や「ハガキフィルムサーマル」が販売されており、これら製品はプラスチック樹脂により構成されているため水により影響されない強靭な皮膜（フィルムシート）である。【０００９】  前記疑似接着フィルムシートは、例えば印刷物の疑似接着予定面に被覆ラミネートして、その後前記疑似接着予定面同士を折り合わせ疑似接着層同士を対向させて加圧或いは加熱・加圧処理を施すと剥離可能に接着するものである。そして疑似接着後に前記対向面同士を引き剥がすと、疑似接着層同士の界面から剥離するか、或いは基材と何れかの疑似接着層との間から剥離するか、さらに前記両者の剥離が複合的に起こり、対向面同士を容易に剥離することができるのである。【００１０】  本発明の情報通信体を形成する葉片に使用される用紙は、上質紙、マットコート紙、グロスコート紙、合成紙その他の公知の用紙等を好適に使用することができる。好ましくはマットコート紙やグロスコート紙のように表面処理が施されている塗工紙系（特にマットコート紙）が、用紙表面に塗工される成分が紙繊維同士のバインダー役を果たすため、水濡れに対しても解れたり或いは分断したりし難くなり、そのため本発明の作用をより効果的に発揮することができる。【００１１】  本発明の情報通信体は、枚葉シートを使用したオフセット印刷により製造しても、或いは長尺状シートを使用したビジネスフォーム印刷や輪転印刷で製造しても構わない。オフセット印刷の場合、例えば印刷された用紙の疑似接着予定面へ疑似接着フィルムシートを被覆形成して、その後断裁、折り及び一体化工程等をオフラインで行えばよい。またビジネスフォーム印刷の場合、例えば印刷後の長尺状シートを情報通信体の製造機に掛ければ前記工程が一貫して行われるため至便である。【００１２】  本発明の情報通信体の開封手段に応用できる開封部分の形状に格別な制限はない。
例えば対向する一方の葉片が露出している形態とするためにもう一方の葉片の開封縁辺のコーナーを切り欠いても構わない。その場合、前記対向する一方の葉片は開封縁辺に沿って疑似接着フィルムシートが形成されておらず、従って前記切り欠き部では疑似接着フィルムシートの非形成域が開封縁辺に対して外側に形成され、疑似接着フィルムシートが前記非形成域内方に形成された状態の前記一方の葉片が露出することになる。【００１３】  なお、例えば、前記コーナーの切り欠きにより露出している一方の葉片に、全面的に疑似接着フィルムシートが形成され、露出していない開封縁辺に沿って疑似接着フィルムシートの非形成域が設けられる構成でも構わない。【００１４】  また前記切り欠き部の形状や位置に関しても格別な制限はない。
既述の通り三角形状にコーナーカットされてもよいし、三角形以上の多角形になるような切り欠きでも構わない。また曲線或いは曲線を含む形状の切り欠きでもよい。さらに切り欠き部を形成する位置に関しては、情報通信体の開封縁辺に沿った何れの位置でも構わないが、好ましくは下方の角或いは上方の角が好適に使用することができる。【００１５】  何れにしても前記切り欠き部で露出した下側の一方の葉片の疑似接着フィルムシートと、上側の対向するもう一方の葉片の開封縁辺に形成されている疑似接着フィルムシートを指で摘んで引き剥がせば確実に疑似接着フィルムシート同士の間から剥離が開始される。そして一旦剥離が開始されると、水濡れや良好な疑似接着により葉片の紙繊維が解れたり或いは分断したりしやすい状態であっても、強靭な疑似接着フィルムシートの皮膜により補強されている両葉片の対向面は連続的に剥離して展開することが可能になるのである。【００１６】  なお、疑似接着フィルムシートに関しては、前記折り合わせて対向させた疑似接着層から剥離する疑似接着フィルムシートの他に、例えば既述の基材の一方の面に熱可塑性或いは熱硬化性の樹脂を溶融押出しや塗工により剥離可能に積層した２層の積層フィルムシートの少なくとも一方の外側に、公知の感熱接着剤層を形成した３層以上の構成からなる疑似接着フィルムシートを使用しても構わない。この疑似接着フィルムシートの場合、前記基材と樹脂との間で剥離が行われる。【００１７】
【発明の効果】
【００１８】  本発明の情報通信体の開封手段によれば、通常では簡単に破断して開封不能になる水濡れや疑似接着が良好すぎて強い剥離力を必要とする状態でも、容易に剥離を開始することができ、しかも途中で葉片が破断することなく確実に開封することができる。
【図面の簡単な説明】
【００１９】
【図１】（Ａ）、（Ｂ）及び（Ｃ）は本件発明の開封手段を形成する二つ折り葉書用紙Ｓ１の表面図、裏面図及びＶ−Ｖ線断面図である。
【図２】（Ａ）、（Ｂ）及び（Ｃ）は二つ折り葉書用紙Ｓ１で製造された二つ折り葉書Ｈ１の平面図、裏面図及びＷ−Ｗ線断面図である。
【図３】二つ折り葉書Ｈ１の開封時の状態を分かりやすく説明する側面図である。
【図４】本実施例で使用する疑似接着フィルムシートの部分拡大断面図である。
【図５】（Ａ）、（Ｂ）及び（Ｃ）は異なる態様の開封手段を形成する二つ折り葉書用紙Ｓ２の表面図、裏面図及びＸ−Ｘ線断面図である。
【図６】（Ａ）、（Ｂ）及び（Ｃ）は二つ折り葉書用紙Ｓ２で製造された二つ折り葉書Ｈ２の平面図、裏面図及びＹ−Ｙ線断面図である。
【図７】二つ折り葉書Ｈ２の開封時の状態を分かりやすく説明する側面図である。
【図８】（Ａ）及び（Ｂ）はさらに異なる開封手段の二つ折り葉書Ｈ３の平面図及びＺ−Ｚ線断面図である。
【発明を実施するための形態】
【００２０】  以下、本発明の実施の形態を図面に基づいて具体的に説明する。
【実施例１】  本実施例で使用される二つ折り葉書用紙Ｓ１は、図１（Ａ）に示すように、第一葉片１と右下部分にコーナーカット部Ｋを設けた第二葉片２が折り線３を介して連接されている。そして第一葉片１表面には、例えば郵便切手欄４、郵便番号欄５の他に受取人の住所氏名６等が記載されており、第二葉片２表面には例えば宣伝広告等の一般情報７が記載されると共に、二つ折り葉書Ｈ１の完成後に指で摘んで剥離を開始する箇所を示唆する矢印や「ここからつまんで開封して下さい」の文言等が記載されている。なお前記宣伝広告等の一般情報７を記載する代わりに、二つ折り葉書Ｓ１が完成した後に内部の情報が外部から透けて見えにくいように、地紋や連続パターン或いはベタ印刷等を施しても構わない。【００２１】  また図１（Ｂ）及び同図Ｖ−Ｖ線断面図である同図（Ｃ）に示すように、二つ折り葉書用紙Ｓ１の裏面は、第一葉片１及び第二葉片２共に例えば受取人のプライバシーに関わる個人情報８が記載されており、第一葉片１の開封縁辺側の疑似接着フィルムシートの非形成域Ｎを外して疑似接着フィルムシートＧが全面的に被覆されている。なお、前記情報は必ずしもプライバシーに関わるものである必要はなく、一般情報が混在していても構わず、さらに一般情報のみでも構わない。【００２２】  前記疑似接着フィルムシートＧは、図４に示すように、例えば二軸延伸ポリプロピレンからなる基材１１の上面に疑似接着層１２が形成されており、残る下面には公知の感熱接着剤層１３が形成されている。そして図１（Ｂ）および（Ｃ）に示すように、前記感熱接着剤層１３を介して二つ折り葉書用紙Ｓ１裏面側とサーマルラミネート方式により全面的に接着し被覆されている。なお図面中に記載される疑似接着フィルムシートＧは複雑化を避けるため一層で表現している。【００２３】  また前記疑似接着フィルムシートＧに形成されている感熱接着剤層１３を予め基材１１に形成せずに、二つ折り葉書用紙Ｓ１との貼り合わせの際に接着剤を塗布しながら被覆しても構わない。このような被覆ラミネート方式はドライラミネート方式として公知である。【００２４】  前記二つ折り葉書用紙Ｓ１は折り線３から両葉片を対向させて折り畳み、図２の状態で加圧又は加熱・加圧処理を施すと剥離可能に一体化される。完成した二つ折り葉書Ｈ１は図２（Ｂ）に示すように、コーナーカット部Ｋにおいて第二葉片２の下側から第一葉片１の一部が表出する。なお前記表出した第一葉片１は、開封側縁辺に沿って疑似接着フィルムシートＧが被覆されていない非形成域Ｎと被覆されている疑似接着フィルムシートＧの両者が共に表出している。【００２５】  この二つ折り葉書Ｈ１の受取人は、例えば図２（Ｂ）に示すように、第二葉片２の開封側縁辺の疑似接着フィルムシートＧ（図中矢印Ａの先）と、コーナーカット部Ｋにより表出している第一葉片１下辺の疑似接着フィルムシートＧ（図中矢印Ｂの先であって非形成域Ｎ部分ではない）を各々指で摘んで、図３に示すように疑似接着フィルムシートＧ同士を剥離する。なお、前記第二葉片２の開封側縁辺の疑似接着フィルムシートＧは、対向する第一葉片１の縁辺が非形成域Ｎのため、容易に両葉片を分離して疑似接着フィルムシートＧを摘むことができる。【００２６】  仮に二つ折り葉書Ｈ１が水に濡れてしまい、用紙の紙繊維が容易に解れてしまうような状態であっても、疑似接着フィルムシートＧはプラスチック樹脂等の水に影響されない強靭な材質で構成されているため、何の問題もなく連続的に剥離ができる。そして疑似接着フィルムシートＧにより被覆されている用紙も疑似接着フィルムＧに追随してストレスなく剥離することができるのである。受取人は、このようにして剥離展開された二つ折り葉書Ｈ１の内面の個人情報８を、透明の疑似接着フィルムシートＧを透して視認することができるのである。
【実施例２】
【００２７】  本実施例で使用される二つ折り葉書用紙Ｓ２は、図５（Ａ）に示すように、左下部分にコーナーカット部Ｋを設けた第一葉片２１と、第一葉片２１よりも若干幅が広い第二葉片２２が、折り線２３を介して連接されている。そして第一葉片２１表面には、例えば郵便切手欄２４、郵便番号欄２５、受取人の住所氏名２６の他に、二つ折り葉書Ｈ２の完成後に指で摘んで剥離を開始する箇所を示す矢印や「ここからつまんで開封して下さい」の文言等が記載されている。また、第二葉片２２表面には例えば宣伝広告等の一般情報２７が記載されている。なお前記宣伝広告等の一般情報２７を記載する代わりに、二つ折り葉書Ｈ２が完成した後に内部の情報が外部から透けて見えにくいように、地紋や連続パターン或いはベタ印刷等を施しても構わない。【００２８】  また図５（Ｂ）に示すように、二つ折り葉書用紙Ｓ２の裏面は、第一葉片２１及び第二葉片２２共に例えば受取人のプライバシーに関わる個人情報２８が記載されている。なお前記情報は必ずしもプライバシーに関わるものである必要はなく、一般情報が混在していても構わず、さらに一般情報のみでも構わない。そして第二葉片２２の開封側縁辺の非接着領域Ｎを除く二つ折り葉書用紙Ｓ２の裏面は疑似接着フィルムシートＧによりほぼ全面的に被覆されている。前記第二葉片２２の非形成域Ｎには、折線２３から両葉片を折り畳んだ際に表出する部分に例えば「ＰＯＳＴ  ＣＡＲＤ」等の郵便葉書に類する文言が記載されている。なお非形成域Ｎ内に記載された二点鎖線は、折り畳んだ際に覆いかぶさる第一葉片１の開封側縁辺の位置を示している。【００２９】  前記二つ折り葉書用紙Ｓ２は折り線２３から両葉片を対向させて折り畳み、図６の状態で加圧又は加熱・加圧処理を施すと剥離可能に一体化される。完成した二つ折り葉書Ｈ２は図６（Ａ）に示すように、第一葉片２１の開封側縁辺に沿って第二葉片２２の開封側縁辺部分が表出する。そしてコーナーカット部Ｋにおいて第二葉片２２の下側から第一葉片２１の一部が表出する。なお前記表出した第一葉片２１は、開封側縁辺に沿って疑似接着フィルムシートＧが被覆されていない非形成域Ｎと被覆されている疑似接着フィルムシートＧの両者が共に表出している。【００３０】  この二つ折り葉書Ｈ２の受取人は、例えば図６（Ａ）に示すように、第一葉片２１縁辺の疑似接着フィルムシートＧ（図中矢印Ｃの先）とコーナーカット部Ｋにより表出している第二葉片２２下辺の疑似接着フィルムシートＧ（図中矢印Ｄの先であって非接着領域Ｎ部分ではない）を各々指で摘んで、図７に示すように疑似接着フィルムシートＧ同士を剥離する。なお、前記第一葉片２１縁辺の疑似接着フィルムシートＧは、対向する第一葉片１の縁辺が非形成域Ｎのため、容易に両葉片を分離して疑似接着フィルムシートＧを摘むことができる。
このようにして受取人は、剥離展開された二つ折り葉書Ｈ２の内面の個人情報２８を、透明の疑似接着フィルムシートＧを透して視認することができるのである。【００３１】  なお、本発明は、上記実施例に限られるものではない。
例えば、実施例１及び２において、二つ折り葉書の開封側と折り線側が逆になるように各葉書用紙Ｓ１及びＳ２をレイアウトしても構わない。【００３２】  また、コーナーカット部Ｋを開封縁辺の上側に配置しても構わず、さらに図８に示すように、非形成域Ｎに印刷を施しても構わない。印刷インクの離型性により疑似接着フィルムシートＧと非形成域Ｎの分離がより良くなる。【００３３】  さらに、コーナーカット部Ｋから表出する部分の下側葉片の略全面に疑似接着フィルムシート等を被覆しておくと共に、上側葉片により隠れてしまう開封側縁辺に沿って非接着領域Ｎを形成しておいても構わない。このようにすればコーナーカット部Ｋにおける疑似接着フィルムシートＧ部分の掴みが広くなり至便である。【００３４】  さらにまた、前記実施例では、二つ折り葉書を例に記載されているが、三葉片以上を折り畳んだ場合の葉書、封書等の情報通信体にも適用できることは言うまでもない。
【符号の説明】
【００３５】Ｈ１、Ｈ２  二つ折り葉書
Ｓ１、Ｓ２  二つ折り葉書用用紙
Ｇ  疑似接着フィルムシート
Ａ、Ｂ、Ｃ、Ｄ  摘み部
Ｎ  非形成域
１、２、２１、２２  葉片
３、２３  折り線
４、２４  郵便切手欄
５、２５  郵便番号欄
６、２６  受取人の住所氏名
７、２７  一般情報
８、２８  個人情報
１１  基材
１２  疑似接着層
１３  感熱接着剤層
【図１】
0005761665.tif 000002
【図２】
0005761665.tif 000003
【図３】
0005761665.tif 000004
【図４】
0005761665.tif 000005
【図５】
0005761665.tif 000006
【図６】
0005761665.tif 000007
【図７】
0005761665.tif 000008
【図８】
0005761665.tif 000009